(57)【要約】【課題】同一のアーティストでも、共演者名等が記録されていることにより別のアーティストとして取り扱われ、同様のアーティスト名が多数列記されることによって同一アーティストの識別が困難となることを防止した「アーティスト名表示方法及び装置」とする。【解決手段】アーティスト検索で検索した最初のアーティスト名を第1バッファメモリに記録し、次に検索したアーティスト名を第２バッファメモリに記録し、前記第1バッファメモリに記録したアーティスト名と第2バッファメモリに記録したアーティスト名とを比較し、前記アーティスト名に所定の共演者を示す文字或いは記号が存在するとき、この文字或いは記号とこれに続く部分を除いて、両アーティスト名が同一であるとき共通アーティストであると判別し、検索したアーティスト名を表示する表示メモリに、前記所定の共演者を示す文字或いは記号とこれに続く部分を除いて、共通アーティストとして記録する。【選択図】図１
2008059677.tif 000002
【特許請求の範囲】
【請求項１】
アーティスト検索で検索した最初のアーティスト名を第１バッファメモリに記録し、  次に検索したアーティスト名を第２バッファメモリに記録し、
前記第１バッファメモリに記録したアーティスト名と第２バッファメモリに記録したアーティスト名とを比較し、
前記アーティスト名に所定の共演者を示す文字或いは記号が存在するとき、この文字或いは記号とこれに続く部分を除いて、第１バッファメモリのアーティスト名と第２バッファメモリのアーティスト名が同一であるとき共通アーティストであると判別し、
検索したアーティスト名を表示する表示メモリに、前記所定の共演者を示す文字或いは記号とこれに続く部分を除いて、共通アーティストとして記録することを特徴とするアーティスト表示方法。
【請求項２】
前記共通アーティスト判別手段で所定の共演者を示す文字或いは記号とこれに続く部分を除いて共通アーティストであると判別したときには、共演者を示す文字或いは記号とこれに続く部分に替えて、所定の文字或いは記号を付して表示メモリに記録することを特徴とする請求項１記載のアーティスト表示方法。  
【請求項３】
アーティスト検索で検索された最初のアーティスト名を記録する第１バッファメモリと、
次に検索されたアーティスト名を記録する第２バッファメモリと、
前記検索されたアーティスト名を異なったアーティスト名毎に記録し表示部に出力する表示メモリと、
前記第１バッファメモリと、第２バッファメモリと、表示メモリのデータの記録を行うメモリデータ記録手段と、
前記第１バッファメモリと第２バッファメモリとに記録されたアーティスト名を比較し共通のアーティストであるか否かを判別する共通アーティスト判別手段とを備え、
前記メモリデータ記録手段では、前記共通アーティスト判別手段で異なったアーティストであると判別したときには、前記第１バッファメモリのアーティスト名と第２バッファメモリのアーティスト名を前記表示メモリに異なったアーティスト名で記録し、共通のアーティストであると判別したときには、前記表示メモリに同一アーティスト名で記録し、
前記共通アーティスト判別手段では、所定の共演者を示す文字或いは記号が存在するとき、この文字或いは記号とこれに続く部分を除いて、共通アーティストであるか否かを判別することを特徴とするアーティスト表示装置。
【請求項４】
前記メモリデータ記録手段では、前記共通アーティスト判別手段で所定の共演者を示す文字或いは記号とこれに続く部分を除いて共通アーティストであると判別したときには、共演者を示す文字或いは記号とこれに続く部分に替えて、所定の文字或いは記号を付して表示メモリに記録することを特徴とする請求項３記載のアーティスト表示装置。
【請求項５】
前記メモリデータ記録手段では、前記共通アーティスト判別手段で所定の共演者を示す文字或いは記号とこれに続く部分を除いて共通アーティストであると判別したときには、共演者を示す文字或いは記号のないアーティスト名にも、所定の文字或いは記号を付して表示メモリに記録することを特徴とする請求項４記載のアーティスト表示装置。
【請求項６】
前記メモリデータ記録手段では、前記共通アーティスト判別手段で所定の共演者を示す文字或いは記号とこれに続く部分を除いて共通アーティストであると判別したときに、表示用メモリに共通アーティストとして記録する際には、そのアーティストの展開表示用データとして、前記所定の共演者を示す文字或いは記号とこれに続く部分も含む正式のアーティスト名も記録することを特徴とする請求項３〜５のいずれかに記載のアーティスト表示装置。
【請求項７】
前記アーティスト検索を行うオーディオデータを備えたオーディオ機器と、利用者がアーティスト検索指示を行い、検索結果を表示するオーディオ機器とは別体であり、両オーディオ機器をデータ通信可能に接続していることを特徴とする請求項３記載のアーティスト表示装置。  
【発明の詳細な説明】
【技術分野】
【０００１】
本発明は、携帯音楽端末等のオーディオ装置において、多数蓄積された音楽データから特定のアーティストを検索するに際し、同一のアーティストにも関わらずアーティスト名に共演者名等が記録されることにより別のアーティストとして検索されてしまうことを防ぐようにしたアーティスト名表示方法及びその方法を実施する装置に関するものである。
【背景技術】
【０００２】
現在広く用いられている各種のオーディオ装置においては、近年は例えばＤＶＤ、フラッシュメモリ、ハードディスク等のデータ記録媒体を用い、大容量のオーディオデータを記録してこれを再生して利用することが行われている。このような大容量のオーディオデータの中から所望の曲を選択して聴くには、オーディオデータ中に記録されているタグ情報を利用し、これを検索してアーティスト名、楽曲名、アルバム名をＡＢＣ順や五十音順に一覧表示して、その中から希望のものを選択して聴くことが行われる。
【０００３】
このような大量のオーディオデータからタグ情報等を利用して所望の楽曲を選択する手法は、ＭＰ３形式等で記録したオーディオデータから所望の楽曲を選択する際に行われ、特に近年急速に普及している携帯音楽端末でも広く採用されているが、それ以外でも一般家庭用オーディオ装置や車両用オーディオ装置でも、フラッシュメモリやハードディスクに記録した楽曲の再生や、ＤＶＤオーディオの再生に際しても採用され、更にはパソコンでオーディオデータのデータ管理を行う際にも採用されている。
【０００４】
特に携帯音楽端末の利用に際しては、これを車両に持ち込んで車内で聴くことも行われるが、その際にはオーディオ性能に優れている車両用オーディオ装置に有線或いは無線で接続して、携帯音楽端末からオーディオデータを車両用オーディオ装置に送信可能とし、車両用オーディオ装置で携帯音楽端末の楽曲を再生することが行われる。その際には、車両用オーディオ装置から携帯音楽端末に対して再生操作を初めとする各種操作の信号を出力し、車両用オーディオ装置によって携帯音楽端末に記録されている楽曲を前記と同様に検索し、その結果を車両用オーディオ装置の画面に表示し、その中から所望のものを選択して聴くことができるようにもなっている。
【０００５】
なお、ナビゲーション装置のデータ検索に際して、名称を構成する全てのワードから成る本体データと、その本体データの一部のワードから成る複製データとから曖昧検索用データを構成し、検索文字列と一致する文字列を含む曖昧検索用データを検索し、同一名称に対応する曖昧検索用データが複数個ある場合には、検索文字列の文字数よりも重複文字数が小さい曖昧検索用データを選定することにより、曖昧検索において同じ名称が重複して表示されるのを防止する技術は特許文献１に記載されている。
【特許文献１】特開１１−８５７６３号公報
【発明の開示】
【発明が解決しようとする課題】
【０００６】
前記のような従来のオーディオ装置においては、アーティスト名リストを一覧表示ができるが、この場合、アーティスト名称が同一でない場合は、別アーティストとして取り扱われる。しかしながら、オーディオデータに記録されるアーティスト名称においては、その楽曲の演奏において主となるアーティストが他のアーティストを客演者として共演する際に、アーティスト名称として客演者であるフィーチャリング（ｆｅａｔｕｒｉｎｇ）アーティストを前記主となるアーティストと共に記録することがある。
【０００７】
その際には例えば図５のアーティストリスト表示例に示すように、アーティスト名の検索の結果としてＡＢＣ順にアーティスト名を並べて表示するとき、先頭文字がＭのアーティストメイトして「Ｍｏｎｋｙ  Ｍａｇｉｋ」に続いて「ＭＩＮＭＩ」が表示され、「ＭＩＮＭＩ  Ｆｅａｔ．Ａｌｉｃｅ」が更に続き、以降「ＭＩＮＭＩ  Ｆｅａｔ．Ｂａｃｋ」「ＭＩＮＭＩ  Ｆｅａｔ．Ｓｕｐｅｒ」・・・と表示され、アーティスト「ＭＩＮＭＩ」の演奏に客演しているアーティストである「Ａｌｉｃｅ」、「Ｂａｃｋ」「Ｓｕｐｅｒ」・・・のアーティスト名が「ＭＩＮＭＩ」に続いてフィーチャリングの簡略文字であり記号である、「Ｆｅａｔ．」として記録されているとき、これらは全てアーティスト名データ上では異なったアーティストとして取り扱われ、表示されることとなる。
【０００８】
しかしながら、利用者がアーティスト「ＭＩＮＭＩ」の曲を選択して聴きたいと思ったとき、ＡＢＣ順に表示される画面をスクロールし、図５に示すような先頭文字がＭのアーティスト部分に至ったとき、異なったアーティストとして図４に示すように「ＭＩＮＭＩ」単独のものの他、「ＭＩＮＭＩ・・・」が多数存在することとなり、予めこのような状態を予測しているときには比較的対応は容易であるが、このような状態を知らずにこの表示を見たとき、アーティスト「ＭＩＮＭＩ」の曲は「ＭＩＮＭＩ」単独の名称のみを選択し、他の「ＭＩＮＭＩ」の曲を選択することが困難となる。また、これらの曲を全て連続して聴きたいと思うとき、これらを全て選択して連続再生指示を行う必要があり、面倒であった。
【０００９】
上記のような状態は、単に共演者としての「Ｆｅａｔ．」や「Ｆｅａｔｕｒｉｎｇ」のような言葉によって、特定のアーティストと共演者とをアーティスト名に記録する場合の他、例えば「Ｍｉｎｍｉ＆ＶＡＤＥＲ」のように「＆」で表示することもあり、「Ｍｉｎｍｉ／・・・」のように「／」の前後に分けて表示することもある。このような場合も前記と同様であり、一見するだけでは同一アーティストであることを識別することが困難となる。
【００１０】
したがって本発明は、多数のオーディオデータを検索してその中から特定のアーティストを選択するに際して、アーティスト毎のリストを表示する際、同一のアーティストにも関わらず共演者名等が記録されていることにより別のアーティストとして取り扱われ、同様のアーティスト名が多数列記されることによって同一アーティストの識別が困難となることを防止し、これらを全て同一のアーティストとして取り扱い、表示することができるようにしたアーティスト表示方法及び装置を提供することを主たる目的とする。
【課題を解決するための手段】
【００１１】
本発明に係るアーティスト表示方法は、前記課題を解決するため、アーティスト検索で検索した最初のアーティスト名を第１バッファメモリに記録し、次に検索したアーティスト名を第２バッファメモリに記録し、前記第１バッファメモリに記録したアーティスト名と第２バッファメモリに記録したアーティスト名とを比較し、前記アーティスト名に所定の共演者を示す文字或いは記号が存在するとき、この文字或いは記号とこれに続く部分を除いて、第１バッファメモリのアーティスト名と第２バッファメモリのアーティスト名が同一であるとき共通アーティストであると判別し、検索したアーティスト名を表示する表示メモリに、前記所定の共演者を示す文字或いは記号とこれに続く部分を除いて、共通アーティストとして記録することを特徴とする。
【００１２】
また、本発明に係る他のアーティスト表示方法は、前記アーティスト表示方法において、前記共通アーティスト判別手段で所定の共演者を示す文字或いは記号とこれに続く部分を除いて共通アーティストであると判別したときには、共演者を示す文字或いは記号とこれに続く部分に替えて、所定の文字或いは記号を付して表示メモリに記録することを特徴とする。  
【００１３】
また、本発明に係るアーティスト表示装置は、アーティスト検索で検索された最初のアーティスト名を記録する第１バッファメモリと、次に検索されたアーティスト名を記録する第２バッファメモリと、前記検索されたアーティスト名を異なったアーティスト名毎に記録し表示部に出力する表示メモリと、前記第１バッファメモリと、第２バッファメモリと、表示メモリのデータの記録を行うメモリデータ記録手段と、前記第１バッファメモリと第２バッファメモリとに記録されたアーティスト名を比較し共通のアーティストであるか否かを判別する共通アーティスト判別手段とを備え、前記メモリデータ記録手段では、前記共通アーティスト判別手段で異なったアーティストであると判別したときには、前記第１バッファメモリのアーティスト名と第２バッファメモリのアーティスト名を前記表示メモリに異なったアーティスト名で記録し、共通のアーティストであると判別したときには、前記表示メモリに同一アーティスト名で記録し、前記共通アーティスト判別手段では、所定の共演者を示す文字或いは記号が存在するとき、この文字或いは記号とこれに続く部分を除いて、共通アーティストであるか否かを判別することを特徴とする。
【００１４】
また、本発明に係るアーティスト表示装置は、前記アーティスト表示装置において、前記メモリデータ記録手段では、前記共通アーティスト判別手段で所定の共演者を示す文字或いは記号とこれに続く部分を除いて共通アーティストであると判別したときには、共演者を示す文字或いは記号とこれに続く部分に替えて、所定の文字或いは記号を付して表示メモリに記録することを特徴とする。
【００１５】
また、本発明に係るアーティスト表示装置は、前記アーティスト表示装置において、前記メモリデータ記録手段では、前記共通アーティスト判別手段で所定の共演者を示す文字或いは記号とこれに続く部分を除いて共通アーティストであると判別したときには、共演者を示す文字或いは記号のないアーティスト名にも、所定の文字或いは記号を付して表示メモリに記録することを特徴とする。
【００１６】
また、本発明に係るアーティスト表示装置は、前記アーティスト表示装置において、前記メモリデータ記録手段では、前記共通アーティスト判別手段で所定の共演者を示す文字或いは記号とこれに続く部分を除いて共通アーティストであると判別したときに、表示用メモリに共通アーティストとして記録する際には、そのアーティストの展開表示用データとして、前記所定の共演者を示す文字或いは記号とこれに続く部分も含む正式のアーティスト名も記録することを特徴とする。
【００１７】
また、本発明に係るアーティスト表示装置は、前記アーティスト表示装置において、前記アーティスト検索を行うオーディオデータを備えたオーディオ機器と、利用者がアーティスト検索指示を行い、検索結果を表示するオーディオ機器とは別体であり、両オーディオ機器をデータ通信可能に接続していることを特徴とする。
【発明の効果】
【００１８】
本発明は上記のように構成したので、多数のオーディオデータを検索してその中から特定のアーティストを選択するに際して、アーティスト毎のリストを表示する際、同一のアーティストにも関わらず共演者名等が記録されていることにより別のアーティストとして取り扱われ、同様のアーティスト名が多数列記されることによって同一アーティストの識別が困難となることを防止し、これらを全て同一のアーティストとして取り扱い、見やすく表示され、また特定のアーティストの選択が容易となる。
【発明を実施するための最良の形態】
【００１９】
同一のアーティストにもかかわらず共演者名等が記録されていることにより別のアーティストとして取り扱われ、同様のアーティスト名が多数列記されることを防止するという課題を、アーティスト検索で検索した最初のアーティスト名を第１バッファメモリに記録し、次に検索したアーティスト名を第２バッファメモリに記録し、前記第１バッファメモリに記録したアーティスト名と第２バッファメモリに記録したアーティスト名とを比較し、前記アーティスト名に所定の共演者を示す文字或いは記号が存在するとき、この文字或いは記号とこれに続く部分を除いて、第１バッファメモリのアーティスト名と第２バッファメモリのアーティスト名が同一であるとき共通アーティストであると判別し、検索したアーティスト名を表示する表示メモリに、前記所定の共演者を示す文字或いは記号とこれに続く部分を除いて、共通アーティストとして記録することにより実現した。
【実施例１】
【００２０】
本発明の実施例を図面に沿って説明する。図４は本発明を、ＭＰ３等により圧縮して多数のオーディオデータを記憶しこれを再生可能としている携帯音楽端末機器２１を、車両オーディオ装置におけるヘッドユニット（ＨＵ）として示している車載オーディオ装置２２に対して、データの送受信可能な接続線２３によって接続し、車載オーディオ装置の操作によって、携帯音楽端末機器２１に蓄積されたオーディオデータを取り込み、これを再生して車内スピーカーシステム２４から出力することができるようにした例を示している。
【００２１】
この例においては、車載オーディオ装置２２側の操作によって携帯音楽端末２１に蓄積されているオーディオデータについて、特にそのオーディオデータ中のタグ情報を用いて検索を行い、検索結果を車載オーディオ装置２２の表示部２５、或いはこれに接続したディスプレイ２６に表示可能としている例を示している。このようなディスプレイ２６は、近年広く用いられている車両用ナビゲーション装置のモニターを、オーディオ装置の操作の際に表示切換によってオーディオの各種情報を表示可能とし、このディスプレイ２６に図示するような検索結果を表示するようにしても良い。前記表示部２５或いはディスプレイ２６に表示された検索結果は、利用者の指示によりスクロール可能とされる。
【００２２】
上記のようなオーディオシステムの構成において、本発明は図１に示すような機能ブロックにより構成することができる。図１の例においては、車載オーディオ装置等のＡＶ機器１に携帯音楽端末２を接続しており、携帯音楽端末２にはフラッシュメモリや小型ハードディスク等の、多数のオーディオデータが蓄積されているオーディオデータ蓄積部３を備え、この携帯音楽端末２の通常の使用態様においては再生出力部４によりこのオーディオデータを読み込んで再生して出力するようにしている。
【００２３】
携帯音楽端末２にはデータ検索部５を備え、通常の使用態様においても利用者の指示により例えばアーティスト検索等の検索を行い、その検索結果によって利用者が選択したアーティストの楽曲の再生出力を行うことができる。また通信部６を備え、有線により、或いはトランスミッター等の無線によりＡＶ機器１の通信部１０とデータの送受信を可能としている。
【００２４】
ＡＶ機器１の通信部１０では利用者によりＡＶ機器１のアーティスト検索指示部１３から携帯音楽端末２に対して検索指示信号を出力し、携帯音楽端末２では通信部６でこの指示信号を入力し、携帯音楽端末２の通常のデータ検索と同様にアーティスト検索を行う。その検索結果は通信部６からＡＶ機器１の通信部１０に出力し、通信部１０で入力した検索データは検索データ取込部１２で取り込んでメモリデータ記録部１２に出力する。
【００２５】
メモリデータ記録部１２では第１バッファメモリ１４、第２バッファメモリ１５及び表示メモリ１７のメモリのデータ記録を行い、また、そのデータ記録の態様として第２バッファメモリのデータを第１バッファメモリ１４への移動、各バッファメモリのデータ消去等を行う。それにより例えば第１番目の検索結果データが取り込まれたとき、これを第１バッファメモリ１４に記録する。また、第２番目の検索結果データが取り込まれたときには、これを第２バッファメモリ１５に記録し、以降順にこれらを更新して記録することができる。
【００２６】
共通アーティスト判別部１６では、第１バッファメモリ１４に記録されているアーティスト名と、第２バッファメモリ１５に記録されているアーティスト名が共通であるか否かを判別する。その判別に際しては、例えば「Ｍｏｎｋｅｙ  Ｍａｇｉｋ」と「ＭＩＮＭＩ」のときには異なるアーティスト、「ＭＩＮＭＩ」と「ＭＩＮＭＩ」は同一アーティストとして判別するのは当然であるが、その他、前記のような客演者としての「Ｆｅａｔ．・・・」、「Ｆｅａｔｕｒｉｎｇ」或いは共演者としての「＆・・・」や「ＡＮＤ・・・」、更には「  ／  」等が存在するときにはこれを検出し、それらが存在するときには両アーティストは共通である、と判別する。なお、主たるアーティストに名前を連ねている客演者等のアーティストは、以降便宜的に「共演者」と総称する。
【００２７】
メモリデータ記録部１２では共通アーティスト判別部１６で両アーティストが異なると判別したときには、第１番目に第１バッファメモリ１４に記録されたアーティスト名を表示メモリ１７の第１の位置に記録する。その際にはこのときのアーティスト名と共に記録されている曲名、アルバム名等も対応して記録し、利用者の指示等によりそのデータを表示可能とする。その後、第１バッファメモリ１４のデータを消去し、第２バッファメモリ１５のデータを書き込むことにより、第２バッファメモリ１５のアーティスト名を第１バッファメモリ１４に移動する。メモリデータ記録部１２のこの記録操作後にアーティスト検索指示部１３は、前記と同様に次のアーティストの検索指示を通信部１０、６を介して行い、同様に次のアーティストデータの取り込みを行って、そのアーティスト名のデータを第２バッファメモリ１５に記録する。以降、アーティスト名が全て異なるときには、同様の作動を繰り返す。
【００２８】
それに対して、ｎ番目に読み込んで記録している第１バッファメモリ１４のアーティスト名と、ｎ＋１番目に読み込んで記録している第２バッファメモリ１５のアーティスト名が同一のときには、その後第１バッファメモリ１４のアーティスト名が表示メモリ１７のｍ番目に記録した後、第２バッファメモリ１５のアーティスト名が第１バッファメモリに移動し、更に次に検索されたアーティスト名が第２バッファメモリ１５に記録して更新を行うが、その後更新された第１バッファメモリのアーティスト名を表示メモリに書き込む作動の時に、表示メモリ１７において先にｍ番目に記録されていたアーティストと同一アーティストとして記録を行うこととなる。また、その後このアーティスト名の表示指示があったとき、各楽曲のアルバム名や曲名を表示できるようにそのデータも関連つけて記録しておく。
【００２９】
このような第１バッファメモリ１４と第２バッファメモリ１５に記録された両アーティスト名の比較に際して、前記のように客演者としての「Ｆｅａｔ．・・・」、或いは共演者としての「＆・・・」や「ＡＮＤ・・・」等が存在するときにはこれを検出し、両者は同一アーティストであると判別し、前記同一アーティストと判別したときと同様の処理を行う。このときには前記図３（ａ）に示すような「ＭＩＮＭＩ」として表示メモリ１７に記録しても良いが、このような共演者が記録されているアーティスト名を含んでいることを示すため、単独アーティストである「ＭＩＮＭＩ」の他に、例えば図３（ｂ）のように「ＭＩＮＭＩ＋α」のような表示用データを記録しても良い。その際には、単独の演奏の楽曲については単独名として別に表示しても良いが、その他、最初単独名として「ＭＩＮＭＩ」と記録した部分をその後「ＭＩＮＭＩ＋α」と書き換えて全て統一し、結果的に図３（ｃ）のように記録し表示しても良い。
【００３０】
上記のような作動を繰り返し、全てのデータ処理が終了したとき、或いは表示メモリに空き容量が無くなったときにはこの処理を終了し、表示メモリ１７に前記のようにして記録したデータを表示部１８に表示する。その際には前記のような態様により、図３（ａ）〜（ｃ）に示すように表示される。
【００３１】
このような表示を行った後、利用者が特定のアーティスト名等を指示するとき、その指示された曲のオーディオデータ出力の指示を携帯音楽端末２に対して行い、そこから出力されてくるオーディオデータをオーディオデータ取込部１９で取り込み、これを再生出力部２０で再生して、車内スピーカシステムから出力する。
【００３２】
上記のような機能ブロックからなる本発明の実施例においては、例えば図２に示す作動フローにしたがって順に作動させることができる。図２に示す例においては、利用者が車載オーディオ装置等のＡＶ機器１において携帯音楽端末２に蓄積されている多数の楽曲の内、所望のアーティストの曲を聴こうとして、アーティスト毎の表示を行い、その中から選択しようとするときの例を示している。
【００３３】
図２において、最初ＡＶ機器として示す車載オーディオ装置側でｎ個目のアーティストの取得要求を、アーティストサーチコマンドを携帯音楽端末に出力することにより行い（ステップＳ１）、携帯音楽端末ではそのアーティストサーチコマンドによってアーティストサーチを開始する（ステップＳ２）。そのアーティストサーチ中において（ステップＳ３）、ｎ個目のアーティストの情報であるステータスが検索されると、これを第１バッファに格納する（ステップＳ４）。その際には図中例１として示すように、「ＭＩＮＭＩ」を第１バッファに格納することとなる。
【００３４】
この作動は、図１におけるＡＶ機器１のアーティスト検索指示部１３で携帯音楽端末２に対する検索指示を行うとき、通信部１０から携帯音楽端末２の通信部６を介し、データ検索部５がオーディオデータ蓄積部３内のオーディオデータのアーティスト検索を行い、検索データ取込部１１がｎ個目の検索アーティストを各通信部６、１０を介して取り込み、メモリデータ記録部１２がそのデータを第１バッファメモリ１４に記録することにより行う。
【００３５】
次いでＡＶ機器側においてｎ＋１個目の２個目のアーティストの取得要求を行う（ステップＳ５）。その後前記ステップＳ１と同様の作動を行い、携帯音楽端末にアーティストサーチコマンドを送信し、携帯音楽端末ではアーティストサーチを行い（ステップＳ６）、そのアーティストサーチ中において（ステップＳ７）、ｎ＋１個目第２番目のアーティストステータスが検索され、これを第２バッファに格納する（ステップＳ８）。この作動により、図１の第２バッファメモリ１５にｎ＋１個目に検索されたアーティストが記録される。その際には図中例２として示しているように、「ＭＩＮＭＩ  Ｆｅａｔ．ＡＬＩＣＥ」を第２バッファに格納することとなる。なお、その後同様の作動を繰り返すとき、このステップＳ８においては例４として示すように「ＭＩＮＭＩ  Ｆｅａｔ．ＢＡＣＫ」を第２バッファに格納し、例６として示すように「Ｍｒ．Ｃｈｉｌｄｒｅｎ」を第２バッファに順に格納することとなる。
【００３６】
その後、第１バッファに格納されたアーティストと第２バッファに格納されたアーティストが共通のアーティストか否かを判別し（ステップＳ９）、共通のアーティストであると判別したときにはその共通部分を第１バッファに格納し、第２バッファをクリアする（ステップＳ１０）。ここで第１バッファに格納されたアーティストと第２バッファに格納されたアーティストが共通のアーティストであるか否かの判別に際しては、前記のように、客演者としての「Ｆｅａｔ．・・・」、或いは共演者としての「＆・・・」や「ＡＮＤ・・・」等が存在するときにはこれを検出し、両者は同一アーティストであると判別する。また、第１バッファと第２バッファの共通部分としての「ＭＩＮＭＩ」を第１バッファに格納して第２バッファをクリアする。
【００３７】
これらの作動は、共通アーティスト判別部１６が第１バッファメモリ１４と第２バッファメモリ１５のアーティスト名を比較し、前記判別を行って、その結果によりメモリデータ記録部１３に所定の作動をさせることにより行うことができる。その際には例３に示すように、「ＭＩＮＭＩ」に対して「＋α」を自動付加させ、「ＭＩＮＭＩ＋α」を第１バッファに格納し、第２バッファをクリアする作動を行う。なお、このとき自動付加する記号や文字としては、前記のように「＋α」の他、識別可能であるならば種々のものを用いることができる。また、前記ステップＳ８において例４の作動を行った後では例５に示すように、前記例３と同様に、「ＭＩＮＭＩ＋α」を第１バッファに格納し、第２バッファはクリアすることとなる。
【００３８】
また、前記ステップＳ９において、共通アーティストではないと判別したときには、第１バッファを表示メモリのｍ番目に保存し、また第２バッファのデータを第１バッファに移動する。即ち、例えば第１バッファに「ＭＩＮＭＩ＋α」が記録され、第２バッファに「Ｍｒ．Ｃｈｉｌｄｒｅｎ」が記録されているとき、両者には共通部分がないと判別し、第１バッファの「ＭＩＮＭＩ＋α」を表示メモリのｍ番目において先に記録されている「ＭＩＮＭＩ＋α」の部分に別のオーディオデータとして保存するとともに、第２バッファの「Ｍｒ．Ｃｈｉｌｄｒｅｎ」を第１バッファに移動することとなる。
【００３９】
前記ステップＳ１０の作動を行った後、及びステップＳ１１の作動を行った後は、再びステップＳ５に戻って、次のアーティストの取得要求を行い、最終的に携帯音楽端末に記録されている全てのデータの検索が終了したか、或いはＡＶ機器における表示メモリが満杯になったときにはこの作動を停止する。
【００４０】
本発明は前記のようなアーティスト名の表示手法の他、メモリデータ記録部では、共通アーティスト判別部で所定の共演者を示す文字或いは記号とこれに続く部分を除いて共通アーティストであると判別したときに、表示用メモリに共通アーティストとして記録する際には、そのアーティストの展開データとして、前記所定の共演者を示す文字或いは記号とこれに続く部分も含む正式のアーティスト名も記録するようにしても良い。その際には、例えば図３（ａ）の「ＭＩＮＭＩ」、或いは（ｂ）（ｃ）のような「ＭＩＮＭＩ＋α」部分をリモコン等で指示した時、同図（ｄ）のように、正式のアーティスト名を表示することができるようになる。この詳細な情報表示に際しては、アルバム名や曲名を表示するようにしても良く、その際には前記同図（ｄ）の表示と共に、或いは他の表示指示操作によって表示するようにしても良い。
【図面の簡単な説明】
【００４１】
【図１】本発明の実施例の機能ブロック図である。
【図２】同実施例の作動フロー図である。
【図３】同実施例のアーティスト表示例を示す図である。
【図４】本発明によるアーティスト表示が適用されるオーディオ機器構成の例を示す図である。
【図５】従来のアーティスト表示の例を示す図である。
【符号の説明】
【００４２】
１  ＡＶ機器  
２  携帯音楽端末
３  オーディオデータ蓄積部
４  再生出力部
５  データ検索部
６  通信部
１０  通信部
１１  検索データ取込部
１２  メモリデータ記録部
１３  アーティスト検索指示部
１４  第１バッファメモリ
１５  第２バッファメモリ
１６  共通アーティスト判別部
１７  表示メモリ
１８  表示部
１９  オーディオデータ取込部
２０  再生出力部
【図１】
2008059677.tif 000003
【図２】
2008059677.tif 000004
【図３】
2008059677.tif 000005
【図４】
2008059677.tif 000006
【図５】
2008059677.tif 000007